(57)【要約】【課題】  リモコン送信機のモード切替キーに対応するリモコンコードを登録する際に、簡単に増幅装置の入力セレクタのカテゴリを変更する。【解決手段】  リモコン送信機は、１つのモードを選択し、かつ、選択されたモードに対してリモコンコードを登録する指示が、ユーザ操作によって入力された場合、選択されたモードのカテゴリに対応する入力セレクタに切替えるリモコンコードを増幅装置に送信する。増幅装置は、選択されたモードのカテゴリに対応する入力セレクタに入力セレクタを切替える。リモコン送信機は、変更後のカテゴリに関する情報が入力されると、対応するリモコンコードを読み出して、選択されたモードに対するリモコンコードとして登録し、カテゴリの情報に関する情報を含むリモコンコードを増幅装置に送信する。増幅装置は、選択されている入力セレクタのカテゴリを、受信したリモコンコードに含まれているカテゴリに変更する。【選択図】図５
2013017065.tif 000002
【特許請求の範囲】
【請求項１】
増幅装置と、前記増幅装置にリモコンコードを送信するリモコン送信機とを備え、
前記リモコン送信機が、
複数カテゴリのモードの中から、１つのモードを選択するモード切替キーと、
１つのモードを選択し、かつ、選択されたモードに対してリモコンコードを登録する指示が、ユーザ操作によって入力される手段と、
ユーザ操作による前記指示が入力された場合、選択されたモードのカテゴリに対応する入力セレクタに切替えるリモコンコードを、前記増幅装置に送信する手段と、
ユーザ操作に応じて、変更後のカテゴリに関する情報が入力される手段と、
入力された変更後のカテゴリに関する情報に対応するリモコンコードを読み出して、選択されたモードに対するリモコンコードとして登録する手段と、
入力された変更後のカテゴリに関する情報に基づいて、カテゴリに関する情報を含むリモコンコードを前記増幅装置に送信する手段とを有し、
前記増幅装置が、
選択されたモードのカテゴリに対応する入力セレクタに切替えるリモコンコードを受信した場合、選択されたモードのカテゴリに対応する入力セレクタに入力セレクタを切替える手段と、
カテゴリに関する情報を含むリモコンコードを受信した場合、選択されている入力セレクタのカテゴリを、受信したリモコンコードに含まれているカテゴリに関する情報に基づいて変更する手段とを有する、リモコン登録システム。
【請求項２】
前記増幅装置が、カテゴリに関する情報を含むリモコンコードを受信した場合、選択されている入力セレクタの表示装置に表示させる名称を、受信したリモコンコードに含まれているカテゴリに関する情報に対応する名称に変更する手段をさらに有する、請求項１に記載のリモコン登録システム。
【請求項３】
増幅装置と、前記増幅装置にリモコンコードを送信するリモコン送信機とを備え、
前記リモコン送信機が、
複数カテゴリのモードの中から、１つのモードを選択するモード切替キーと、
１つのモードを選択し、かつ、選択されたモードに対してリモコンコードを登録する指示が、ユーザ操作によって入力される手段と、
ユーザ操作による前記指示が入力された場合、選択されたモードのカテゴリに対応する入力セレクタに切替えるリモコンコードを、前記増幅装置に送信する手段と、
ユーザ操作に応じて、製品登録コードが入力される手段と、
入力された製品登録コードに対応するリモコンコードを読み出して、選択されたモードに対するリモコンコードとして登録する手段と、
製品登録コードに対応付けて製品通知コードを記憶する製品通知コード記憶手段と、
入力された製品登録コードに対応する製品通知コードを前記製品通知コード記憶手段の記憶内容に基づいて特定する製品通知コード特定手段と、
前記製品通知コード特定手段によって特定された製品通知コードを含むリモコンコードを前記増幅装置に送信する手段とを有し、
前記増幅装置が、
選択されたモードのカテゴリに対応する入力セレクタに切替えるリモコンコードを受信した場合、選択されたモードのカテゴリに対応する入力セレクタに入力セレクタを切替える手段と、
製品通知コードに対応付けてカテゴリを記憶するカテゴリ記憶手段と、
製品通知コードを含むリモコンコードを受信した場合、受信した製品通知コードに対応するカテゴリを前記カテゴリ記憶手段の記憶内容に基づいて特定するカテゴリ特定手段と、
選択されている入力セレクタのカテゴリを、前記カテゴリ特定手段によって特定されたカテゴリに変更する手段とを有する、リモコン登録システム。
【請求項４】
請求項１〜３のいずれかに記載のリモコン登録システムに適用される前記増幅装置。
【請求項５】
請求項１〜３のいずれかに記載のリモコン登録システムに適用される前記リモコン送信機。
【発明の詳細な説明】
【技術分野】
【０００１】
本発明は、リモコン登録システム、リモコン送信機および増幅装置に関する。
【背景技術】
【０００２】
ＡＶアンプの複数の音声入力端子に複数のコンテンツ再生装置（ＢＤプレーヤ、ＣＤプレーヤ、ＭＤプレーヤ等）が接続され、ＡＶアンプとコンテンツ再生装置との間で指令を送受信することによって相互に制御するシステムが用いられている。例えば、リモコン送信機からＡＶアンプに「ＣＤプレイ」のリモコンコードが送信されると、ＡＶアンプは各コンテンツ再生装置に「ＣＤプレイ」の指令を送信し、かつ、入力セレクタを「ＣＤ」に切り替える。一方、ＡＶアンプに接続されているコンテンツ再生装置のうち、ＣＤプレーヤは「ＣＤプレイ」の指令に応答して、再生を開始するが、ＢＤプレーヤやＭＤプレーヤは「ＣＤプレイ」の指令に応答しない。カテゴリが異なるからである。リモコン送信機からＡＶアンプに「ＢＤプレイ」のリモコンコードが送信されると、ＡＶアンプは各コンテンツ再生装置に「ＢＤプレイ」の指令を送信し、かつ、入力セレクタを「ＢＤ」に切り替える。一方、ＡＶアンプに接続されているコンテンツ再生装置のうち、ＢＤプレーヤは「ＢＤプレイ」の指令に応答して、再生を開始するが、ＣＤプレーヤやＭＤプレーヤは「ＢＤプレイ」の指令に応答しない。
【０００３】
また、ＣＤプレーヤにユーザ操作によって再生指示が入力されると、ＣＤプレーヤは再生開始すると共に、「ＣＤダイレクトチェンジ」の指令をＡＶアンプに送信する。ＡＶアンプは、「ＣＤダイレクトチェンジ」の指令に応答して、電源オン状態になり、入力セレクタを「ＣＤ」に切り替える。なお、入力セレクタは、入力端子に割り当てられた選択状態であり、「ＣＤ」セレクタとはＣＤプレーヤが接続される入力端子を選択する状態である。ＢＤプレーヤにユーザ操作によって再生指示が入力されると、ＢＤプレーヤは再生開始すると共に、「ＢＤダイレクトチェンジ」の指令をＡＶアンプに送信する。ＡＶアンプは、「ＢＤダイレクトチェンジ」の指令に応答して、電源オン状態になり、入力セレクタを「ＢＤ」に切り替える。
【０００４】
ＡＶアンプを操作するためのリモコン送信機は、モード切替キーを備えている。モード切替キーは、複数のカテゴリ（ＢＤ、ＣＤ、ＭＤ等）毎について存在する。つまり、「ＢＤ」モード、「ＣＤ」モードおよび「ＭＤ」モード等のそれぞれについてのモード切替キーが存在する。ユーザによるモード切替キーの操作によって、リモコン送信機は、入力セレクタを選択されたカテゴリのセレクタに切替えるリモコンコードをＡＶアンプに送信すると共に、リモコン送信機のモードを選択されたカテゴリに対応するモードに切替える。例えば、「ＣＤ」のモード切替キーが操作された場合、リモコン送信機は、入力セレクタを「ＣＤ」に切り替えるリモコンコードをＡＶアンプに送信し、かつ、リモコン送信機のモードを「ＣＤ」モードに切り替える。「ＣＤ」モードの時にリモコン送信機の「プレイ」キーが操作されると、リモコン送信機は「ＣＤプレイ」のリモコンコードをＡＶアンプに送信する。「ＢＤ」のモード切替キーが操作された場合、リモコン送信機は、入力セレクタを「ＢＤ」に切り替えるリモコンコードをＡＶアンプに送信し、かつ、リモコン送信機のモードを「ＢＤ」モードに切り替える。「ＢＤ」モードの時にリモコン送信機の「プレイ」キーが操作されると、リモコン送信機は「ＢＤプレイ」のリモコンコードをＡＶアンプに送信する。
【０００５】
モード切替キーのカテゴリは、ユーザ操作によって変更することができる。モード切替キーのカテゴリがユーザ操作によって変更された場合、そのモードが選択されている場合にリモコン送信機から出力されるリモコンコードが、変更後のカテゴリのリモコンコードに変更される。例えば、ＡＶアンプの「ＭＤ」セレクタに割り当てられている入力端子にＭＤプレーヤではなくＴＡＰＥプレーヤを接続する場合、ユーザ操作によってリモコン送信機の「ＭＤ」のモード切替キーを「ＴＡＰＥ」のカテゴリに変更する。より具体的には、「ＭＤ」のモード切替キーに対して「ＴＡＰＥ」プレーヤの製品登録コードを入力することによって、「ＭＤ」のモード切替キーが選択された場合に、「ＴＡＰＥ」のリモコンコードがＡＶアンプに出力されるようになる。カテゴリが「ＴＡＰＥ」に変更されたモード切替キーが選択されると、リモコン送信機は、入力セレクタを「ＭＤ（注：セレクタの切換指示のカテゴリ自体は変更されない。）」に切り替えるリモコンコードをＡＶアンプに送信し、かつ、リモコン送信機のモードを「ＴＡＰＥ」モードに切り替える。「ＴＡＰＥ」モードの時にリモコン送信機の「プレイ」キーが操作されると、リモコン送信機は「ＴＡＰＥプレイ」のリモコンコードをＡＶアンプに送信する。
【０００６】
ここで、ＡＶアンプは、「ＴＡＰＥプレイ」のリモコンコードに対して、入力セレクタを「ＴＡＰＥ」セレクタに切替える必要がある。そのため、ＡＶアンプにおいて、ユーザ操作によって「ＭＤ」セレクタのカテゴリを、「ＭＤ」から「ＴＡＰＥ」に変更し、「ＴＡＰＥ」セレクタとしておく必要がある。仮にＡＶアンプにおいて「ＭＤ」セレクタを「ＴＡＰＥ」セレクタに変更しなければ、リモコン送信機からの「ＴＡＰＥプレイ」のリモコンコードに対して、入力セレクタをＴＡＰＥプレーヤが接続されている入力端子に割り当てられている「ＴＡＰＥ」に切替えることができない。また、ＴＡＰＥプレーヤから送信される「ＴＡＰＥダイレクトチェンジ」の指令に対して、ＡＶアンプは、入力セレクタを「ＴＡＰＥ」セレクタに切替えることができない。
【０００７】
以上の理由から、ユーザ操作によって、リモコン送信機のモード切替キーのカテゴリを変更する操作に加えて、ＡＶアンプの対応する入力セレクタのカテゴリを変更する操作が必要となり、その操作が非常に煩雑である。
【先行技術文献】
【特許文献】
【０００８】
【特許文献１】特開２０１０−２６８４４２号公報
【発明の概要】
【発明が解決しようとする課題】
【０００９】
本発明は上記従来の課題を解決するためになされたものであり、リモコン送信機のモード切替キーに対応するリモコンコードを登録する際に、簡単に増幅装置の入力セレクタのカテゴリを変更することができるリモコン登録システムを提供することである。
【課題を解決するための手段】
【００１０】
本発明の好ましい実施形態によるリモコン登録システムは、増幅装置と、前記増幅装置にリモコンコードを送信するリモコン送信機とを備え、前記リモコン送信機が、複数カテゴリのモードの中から、１つのモードを選択するモード切替キーと、１つのモードを選択し、かつ、選択されたモードに対してリモコンコードを登録する指示が、ユーザ操作によって入力される手段と、ユーザ操作による前記指示が入力された場合、選択されたモードのカテゴリに対応する入力セレクタに切替えるリモコンコードを、前記増幅装置に送信する手段と、ユーザ操作に応じて、変更後のカテゴリに関する情報が入力される手段と、入力された変更後のカテゴリに関する情報に対応するリモコンコードを読み出して、選択されたモードに対するリモコンコードとして登録する手段と、入力された変更後のカテゴリに関する情報に基づいて、カテゴリに関する情報を含むリモコンコードを前記増幅装置に送信する手段とを有し、前記増幅装置が、選択されたモードのカテゴリに対応する入力セレクタに切替えるリモコンコードを受信した場合、選択されたモードのカテゴリに対応する入力セレクタに入力セレクタを切替える手段と、カテゴリに関する情報を含むリモコンコードを受信した場合、選択されている入力セレクタのカテゴリを、受信したリモコンコードに含まれているカテゴリに関する情報に基づいて変更する手段とを有する。
【００１１】
リモコン送信機は、１つのモードを選択し、かつ、選択されたモードに対してリモコンコードを登録する指示が、ユーザ操作によって入力された場合、選択されたモードのカテゴリに対応する入力セレクタに切替えるリモコンコードを増幅装置に送信する。増幅装置は、選択されたモードのカテゴリに対応する入力セレクタに切替えるリモコンコードを受信した場合、選択されたモードのカテゴリに対応する入力セレクタに入力セレクタを切替える。リモコン送信機は、ユーザ操作に応じて、変更後のカテゴリに関する情報が入力されると、入力された変更後のカテゴリに関する情報に対応するリモコンコードを読み出して、選択されたモードに対するリモコンコードとして登録し、入力された変更後のカテゴリに関する情報に基づいて、カテゴリの情報に関する情報を含むリモコンコードを増幅装置に送信する。増幅装置は、カテゴリの情報に関する情報を含むリモコンコードを受信した場合、選択されている入力セレクタのカテゴリを、受信したリモコンコードに含まれているカテゴリに変更する。従って、ユーザ操作としてはリモコン送信機を操作するだけでよいので、ユーザ操作を非常に簡易化することができる。
【００１２】
好ましい実施形態においては、前記増幅装置が、カテゴリに関する情報を含むリモコンコードを受信した場合、選択されている入力セレクタの表示装置に表示させる名称を、受信したリモコンコードに含まれているカテゴリに関する情報に対応する名称に変更する手段をさらに有する。
【００１３】
この場合、ユーザ操作によって増幅装置の入力セレクタの名称を変更する必要がないので、ユーザ操作をさらに簡易化することができる。
【００１４】
好ましい実施形態においては、前記増幅装置が、カテゴリに関する情報を含むリモコンコードを受信する前に、他の処理の指示がユーザ操作によって前記増幅装置に入力された場合、選択されている入力セレクタのカテゴリを変更しない手段をさらに有する。
【００１５】
他の処理として例えば入力セレクタを変更するような場合、ユーザが意図しない入力セレクタのカテゴリを変更してしまう可能性があるが、本実施形態では他の処理の指示が入力された時点で、入力セレクタのカテゴリを変更する処理を終了するので、このような問題を解決することができる。
【００１６】
本発明の別の好ましい実施形態によるリモコン登録システムは、増幅装置と、前記増幅装置にリモコンコードを送信するリモコン送信機とを備え、前記リモコン送信機が、複数カテゴリのモードの中から、１つのモードを選択するモード切替キーと、１つのモードを選択し、かつ、選択されたモードに対してリモコンコードを登録する指示が、ユーザ操作によって入力される手段と、ユーザ操作による前記指示が入力された場合、選択されたモードのカテゴリに対応する入力セレクタに切替えるリモコンコードを、前記増幅装置に送信する手段と、ユーザ操作に応じて、製品登録コードが入力される手段と、入力された製品登録コードに対応するリモコンコードを読み出して、選択されたモードに対するリモコンコードとして登録する手段と、製品登録コードに対応付けて製品通知コードを記憶する製品通知コード記憶手段と、入力された製品登録コードに対応する製品通知コードを前記製品通知コード記憶手段の記憶内容に基づいて特定する製品通知コード特定手段と、前記製品通知コード特定手段によって特定された製品通知コードを含むリモコンコードを前記増幅装置に送信する手段とを有し、前記増幅装置が、選択されたモードのカテゴリに対応する入力セレクタに切替えるリモコンコードを受信した場合、選択されたモードのカテゴリに対応する入力セレクタに入力セレクタを切替える手段と、製品通知コードに対応付けてカテゴリを記憶するカテゴリ記憶手段と、製品通知コードを含むリモコンコードを受信した場合、受信した製品通知コードに対応するカテゴリを前記カテゴリ記憶手段の記憶内容に基づいて特定するカテゴリ特定手段と、選択されている入力セレクタのカテゴリを、前記カテゴリ特定手段によって特定されたカテゴリに変更する手段とを有する。
【発明の効果】
【００１７】
リモコン送信機のモード切替キーに対応するリモコンコードを登録する際に、簡単に増幅装置の入力セレクタのカテゴリを変更することができるリモコン登録システムを提供することができる。
【図面の簡単な説明】
【００１８】
【図１】本発明の好ましい実施形態によるリモコン登録システムを示すブロック図である。
【図２】本発明の好ましい実施形態によるＡＶアンプ１１とリモコン送信機１３とを示すブロック図である。
【図３】カテゴリ変更テーブルを示す図である。
【図４】製品コードテーブルを示す図である。
【図５】リモコン送信機１３の制御部２０１処理を示すフローチャートである。
【図６】ＡＶアンプ１１の制御部１０１の処理を示すフローチャートである。
【図７】リモコン送信機１３の制御部２０１処理を示すフローチャートである。
【図８】ＡＶアンプ１１の制御部１０１の処理を示すフローチャートである。
【図９】リモコン送信機１３の制御部２０１処理を示すフローチャートである。
【図１０】リモコン送信機１３の制御部２０１処理を示すフローチャートである。
【発明を実施するための形態】
【００１９】
以下、本発明の好ましい実施形態について、図面を参照して具体的に説明するが、本発明はこれらの実施形態には限定されない。図１は、本発明の好ましい実施形態によるリモコン登録システムを含むコンテンツ再生システムを示す概略図である。コンテンツ再生システムは、ＡＶアンプ（増幅装置）１１、ＡＶアンプ１１と相互に制御可能な一または複数のコンテンツ再生装置１２（例えば、ＢＤ（ブルーレイ）プレーヤ１２Ａ、ＣＤプレーヤ１２Ｂ、ＭＤプレーヤ１２Ｃ等）、およびリモコン送信機１３を備える。
【００２０】
各コンテンツ再生装置１２は、ＡＶアンプ１１の入力端子（例えば、音声入力端子等）に接続可能であり、コンテンツ（例えば、音声データ）を再生し、ＡＶアンプ１１に音声データを送信する。ＡＶアンプ１１はコンテンツ再生装置１２から送信される音声データの中から１つを選択し、音声信号を増幅し、図示しないスピーカーを介して音声を出力する。コンテンツ再生装置１２は、また、指令を送受信するための通信ケーブルを介してＡＶアンプ１１に接続される。特に限定されないが、図１では、各コンテンツ再生装置１２は、通信ケーブルを介して直列的にＡＶアンプ１１に接続されている。しかし、これに限定されず、各コンテンツ再生装置１２は、それぞれＡＶアンプ１１に通信ケーブルを介して直接接続されていてもよい。コンテンツ再生装置１２は、通信ケーブルを介してＡＶアンプ１１との間で指令を送受信する。ここで、指令とは、相手側の装置を制御するための命令、および自身の動作状態通知の総称であり、これを相手側装置が受信した際に相手側装置が所定の動作を実行するものである。
【００２１】
ＡＶアンプ１１は、複数のコンテンツ再生装置１２が接続されるので、コンテンツ再生装置毎に異なるカテゴリの指令を送受信する。ここで、カテゴリとは接続されるコンテンツ再生装置の種類を表し、例えばＢＤプレーヤ、ＣＤプレーヤ、ＭＤプレーヤおよびＴＡＰＥプレーヤ等である。コンテンツ再生装置１２は、自装置のカテゴリに対応する指令をＡＶアンプ１１から受信した場合に、受信した指令に基づいた動作を実行する。コンテンツ再生装置１２は、自装置のカテゴリに対応しない指令をＡＶアンプ１１から受信した場合に、受信した指令に基づいた動作を実行しない。逆に、コンテンツ再生装置１２は、自装置のカテゴリに対応する指令をＡＶアンプ１１に送信し、ＡＶアンプ１１は受信した指令のカテゴリを判断することで、どのコンテンツ再生装置１２から指令を受信したかを認識できる。
【００２２】
例えば、リモコン送信機１３からＡＶアンプ１１に「ＣＤプレイ」のリモコンコードが送信されると、ＡＶアンプ１１は各コンテンツ再生装置１２に「ＣＤプレイ」の指令を送信し、かつ、入力セレクタを「ＣＤ」セレクタに切り替える。ＡＶアンプ１１に接続されているコンテンツ再生装置のうち、ＣＤプレーヤ１２Ｂは「ＣＤプレイ」の指令に応答して、再生を開始するが、ＢＤプレーヤ１２ＡやＭＤプレーヤ１２Ｃは「ＣＤプレイ」の指令に応答しない。リモコン送信機１３からＡＶアンプ１１に「ＢＤプレイ」のリモコンコードが送信されると、ＡＶアンプ１１は各コンテンツ再生装置１２に「ＢＤプレイ」の指令を送信し、かつ、入力セレクタを「ＢＤ」セレクタに切り替える。ＡＶアンプ１１に接続されているコンテンツ再生装置１２のうち、ＢＤプレーヤ１２Ａは「ＢＤプレイ」の指令に応答して、再生を開始するが、ＣＤプレーヤ１２ＢやＭＤプレーヤ１２Ｃは「ＢＤプレイ」の指令に応答しない。
【００２３】
ＣＤプレーヤ１２Ｂにユーザ操作によって再生指示が入力されると、ＣＤプレーヤ１２Ｂは再生開始すると共に、「ＣＤダイレクトチェンジ」の指令をＡＶアンプに送信する。ＡＶアンプは、「ＣＤダイレクトチェンジ」の指令に応答して、電源オン状態になり、入力セレクタを「ＣＤ」セレクタに切り替える。なお、入力セレクタは、入力端子に割り当てられた選択状態であり、「ＣＤ」セレクタとはＣＤプレーヤ１２Ｂが接続される入力端子を選択する状態である。ＢＤプレーヤ１２Ａにユーザ操作によって再生指示が入力されると、ＢＤプレーヤ１２Ａは再生開始すると共に、「ＢＤダイレクトチェンジ」の指令をＡＶアンプ１１に送信する。ＡＶアンプ１１は、「ＢＤダイレクトチェンジ」の指令に応答して、電源オン状態になり、入力セレクタを「ＢＤ」セレクタに切り替える。「ＢＤ」セレクタとはＢＤプレーヤ１２Ａが接続される入力端子を選択する状態である。
【００２４】
ＡＶアンプを操作するためのリモコン送信機１３は、モード切替キーを備えている。モード切替キーは、複数のカテゴリ（ＢＤ、ＣＤ、ＭＤ、ＴＡＰＥ等）毎について存在する。つまり、モードとして、ＢＤモード、ＣＤモード、ＭＤモード、ＴＡＰＥモード等が存在し、これらのモードを選択するためのモード切替キーが設けられている。モード切替キーの操作によって、リモコン送信機１３は、入力セレクタを選択されたカテゴリのセレクタに切替えるリモコンコードをＡＶアンプに送信すると共に、リモコン送信機１３のモードを選択されたカテゴリに対応するモードに切替える。例えば、「ＣＤ」のモード切替キーが操作された場合、リモコン送信機１３は、入力セレクタを「ＣＤ」セレクタに切り替えるリモコンコードをＡＶアンプ１１に送信し、かつ、リモコン送信機１３のモードを「ＣＤ」モードに切り替える。「ＣＤ」モードの時にリモコン送信機１３の「プレイ」キーが操作されると、リモコン送信機１３は「ＣＤプレイ」のリモコンコードをＡＶアンプ１１に送信する。「ＢＤ」のモード切替キーが操作された場合、リモコン送信機１３は、入力セレクタを「ＢＤ」セレクタに切り替えるリモコンコードをＡＶアンプ１１に送信し、かつ、リモコン送信機１３のモードを「ＢＤ」モードに切り替える。「ＢＤ」モードの時にリモコン送信機１３の「プレイ」キーが操作されると、リモコン送信機１３は「ＢＤプレイ」のリモコンコードをＡＶアンプ１１に送信する。
【００２５】
モード切替キーのカテゴリは、ユーザ操作によって変更することができる。モード切替キーのカテゴリがユーザ操作によって変更された場合、そのモードが選択されたときにリモコン送信機１３から出力されるリモコンコードが、変更後のカテゴリのリモコンコードに変更される。例えば、ＡＶアンプの「ＭＤ」セレクタに割り当てられた入力端子にＴＡＰＥプレーヤを接続する場合、ユーザ操作によってリモコン送信機の「ＭＤ」のモード切替キーを「ＴＡＰＥ」のカテゴリに変更する。より具体的には、「ＭＤ」のモード切替キーに対して、「ＴＡＰＥプレーヤ」の製品登録コードが入力され、製品登録コードに対応するリモコンコードが当該モード切替キーに対応付けて登録される。変更後の「ＴＡＰＥ」のモード切替キーが操作された場合、リモコン送信機１３は、入力セレクタを「ＭＤ」に切り替えるリモコンコードをＡＶアンプに送信し、かつ、リモコン送信機１３のモードを「ＴＡＰＥ」モードに切り替える。「ＴＡＰＥ」モードの時にリモコン送信機１３の「プレイ」キーが操作されると、リモコン送信機１３は「ＴＡＰＥプレイ」のリモコンコードをＡＶアンプ１１に送信する。
【００２６】
モード切替キーのカテゴリがユーザ操作によって変更されるとき、リモコン送信機１３は、変更後のカテゴリに関する情報を通知するリモコンコードをＡＶアンプ１１に送信する。ＡＶアンプ１１は、変更後のカテゴリに関する情報を通知するリモコンコードを受信すると、ユーザ操作を要することなく、現在の入力セレクタのカテゴリを通知されたカテゴリに変更する。例えば、リモコン送信機３の「ＭＤ」モードが「ＴＡＰＥ」モードに変更されるとき、リモコン送信機１３は、最初に「ＭＤ」セレクタに入力セレクタを切替えるリモコンコードを送信し、ＡＶアンプ１１はこれに応じて入力セレクタを「ＭＤ」セレクタに切替える。続いて、リモコン送信機１３は、「ＭＤ」モードを「ＴＡＰＥ」モードに変更し（すなわち、「ＭＤ」のリモコンコードを「ＴＡＰＥ」のリモコンコードに変更し）、かつ、カテゴリをＴＡＰＥに変更するリモコンコードをＡＶアンプ１１に送信する。ＡＶアンプ１１はこれに応じて現在選択されている「ＭＤ」セレクタのカテゴリを通知された「ＴＡＰＥ」に変更し、「ＴＡＰＥ」セレクタに変更する。従って、ユーザ操作によって、ＡＶアンプ１１のセレクタのカテゴリを変更する操作が不要となり、操作を簡易化することができる。
【００２７】
図２は、ＡＶアンプ１１およびリモコン送信機１３の構成を示す概略図である。ＡＶアンプ１１は、制御部１０１、メモリ（ＲＯＭ、ＲＡＭ等）１０２、指令入出力端子１０３、リモコン信号受信部１０４、音声入力端子１０５（ｉｎ１〜ｉｎ４）、セレクタ回路１０６、増幅回路１０７、音声出力端子１０８、および表示部１０９等を概略備える。
【００２８】
制御部１０１は、メモリ１０２に格納されているＡＶアンプ１１の動作プログラムに基づいて、ＡＶアンプ１１の各部を制御するものであり、マイコンやＣＰＵ等である。指令入出力端子１０３は、各コンテンツ再生装置１２と通信ケーブルを介して接続可能であり、各コンテンツ再生装置１２と制御部１０１との間で指令を送受信するインターフェースである。
【００２９】
リモコン信号受信部１０４は、リモコン送信機１３からリモコンコードを受信し、受信したリモコンコードを制御部１０１に転送する。リモコンの方式は、赤外線やBluetooth（登録商標）、無線ＬＡＮ等の任意の方式が採用され得る。
【００３０】
音声入力端子１０５は、各コンテンツ再生装置１２の音声出力端子と音声ケーブルを介して接続可能である。音声入力端子１０５は、各コンテンツ再生装置１２から供給される音声データが入力され、セレクタ回路１０６に供給する。例えば、音声入力端子ｉｎ１にはＢＤプレーヤ１２Ａが接続され、音声入力端子ｉｎ２にはＣＤプレーヤ１２Ｂが接続され、音声入力端子ｉｎ３にはＭＤプレーヤ１２Ｃが接続される。音声入力端子１０５は、入力セレクタに割り当てられる。例えば、ＢＤプレーヤ１２Ａが接続された音声入力端子ｉｎ１はＢＤセレクタが割り当てられ、ＣＤプレーヤ１２Ｂが接続された音声入力端子ｉｎ２はＣＤセレクタが割り当てられ、ＭＤプレーヤ１２Ｃが接続された音声入力端子ｉｎ３はＣＤセレクタが割り当てられる。
【００３１】
セレクタ回路１０６は、制御部１０１からの指示に応じて、各音声入力端子ｉｎ１〜ｉｎ４の中から、ユーザ操作によって選択された入力セレクタに割り当てられている音声入力端子を選択し、選択した音声入力端子から供給される音声データを増幅回路１０７に供給する。例えば、「ＣＤ」セレクタが選択されるとき、セレクタ回路１０６は、「ＣＤ」セレクタに割り当てられている音声入力端子ｉｎ２を選択し、音声入力端子ｉｎ２から供給される音声データを増幅回路１０７に供給する。
【００３２】
増幅回路１０７は、セレクタ回路１０６から供給される音声データを増幅し、音量調整し、音声出力端子１０８を介して外部に接続されている図示しないスピーカーに音声を出力する。なお、音声データがデジタル信号である場合、適宜デジタル−アナログ変換処理が実行されるとよい。
【００３３】
表示部１０９は、ＡＶアンプ１１の筐体に設けられたＬＣＤやＦＬ管等であり、現在選択されている入力セレクタのセレクタ名等を表示する。表示部１０９は、外部接続されるディスプレイ装置にＯＳＤ表示させるＯＳＤ表示制御部であってもよい。
【００３４】
メモリ１０２には、図３に示すカテゴリ変更テーブルが予め登録されている。カテゴリ変更テーブルは、リモコン送信機１３から通知される変更後のカテゴリを特定するためのテーブルである。カテゴリ変更テーブルは、製品通知コードに対応付けて、変更後のセレクタ名および変更後のカテゴリが登録されている。例えば、製品通知コードがＦＦＦ１である場合、制御部１０１によって、現在選択されている入力セレクタのセレクタ名が「ＢＤ」に変更され、かつ、現在選択されている入力セレクタのカテゴリがＢＤに変更されることを意味する。
【００３５】
リモコン送信機１３は、制御部２０１と、メモリ（ＲＯＭ、ＲＡＭ等）２０２と、操作キー２０３と、リモコン送信部２０４とを概略備える。制御部２０１は、メモリ２０２に格納されているリモコン送信機１３の動作プログラムに基づいて、リモコン送信機１３の各部を制御するものであり、マイコンやＣＰＵ等である。
【００３６】
操作キー２０３は、ユーザ操作による指示が入力されるものであり、再生キー、停止キー、および、モード切替キー等を備える。モード切替キーは、上記したとおりカテゴリ毎に設けられており、かつ、ユーザ操作によってカテゴリを変更することができる。
【００３７】
メモリ２０２には、図４に示す製品コードテーブルが予め登録されている。製品コードテーブルは、ユーザ操作によってモード切替キーのカテゴリを変更する際に、ＡＶアンプ１１に送信する製品通知コードを特定するためのテーブルである。例えば、ユーザ操作によって、製品登録コード「１１１１１」が入力された場合、製品通知コードとして「ＦＦＦ１」が特定され、ＡＶアンプ１１に送信される。
【００３８】
また、メモリ２０１には各製品登録コードに対応付けられたリモコンコードを予め格納している。現在選択されているモードに対して、ユーザ操作によって製品登録コードが入力された場合、入力された製品登録コードに対応するリモコンコードが読み出されて、モードに対応付けて登録される。これによりモードのカテゴリが変更されることになる。例えば、「ＭＤ」のモード切替キーが操作されて「ＭＤ」モードが選択されているときに、製品登録コードとして「４４４４４」が入力された場合、「４４４４４」に対応するリモコンコードがメモリ２０２から読み出され、「ＭＤ」モードに対して登録される。その結果、「ＭＤ」のモード切替キーによって選択される「ＭＤ」モードのカテゴリが「ＴＡＰＥ」に変更されて、「ＴＡＰＥ」モードとなる。
【００３９】
リモコン送信部２０４は、ユーザによる操作キー２０３の操作および現在選択されているモードにも基づいて、リモコンコードをメモリ２０２から読み出して、ＡＶアンプ１１にリモコンコードを送信する。例えば、「ＣＤ」モードが選択されているときに、「プレイ」キーが操作された場合、「ＣＤ」モードに対応する「ＣＤプレイ」のリモコンコードをＡＶアンプ１１に送信する。
【００４０】
次に、本実施形態の動作を説明する。図５は、リモコン送信機１３の制御部２０１の処理を示すフローチャートであり、図６は、ＡＶアンプ１１の制御部１０１の処理を示すフローチャートである。
【００４１】
図５に示すように、リモコン送信機１３の制御部２０１は、ユーザによって操作キーが操作されたか否かを判断している（Ｓ１）。操作された場合（Ｓ１でＹＥＳ）、制御部２０１は、操作された操作キーがモード切替キーと所定キー（特に限定されないが例えばディスプレイキー）との組合わせであるか否かを判断する（Ｓ２）。すなわち、ユーザ操作によって、モードを切替え、かつ、リモコン登録モードに移行する指示が入力されたか否かが判断される。
【００４２】
モード切替キーと所定キーとの組合わせではない場合（Ｓ２でＮＯ）、制御部２０１は、操作された操作キーに対応する処理を実行する（Ｓ８）。すなわち、制御部２０１は、操作された操作キーおよび現在のモードに基づいて決定されるリモコンコードをＡＶアンプ１１に送信する。
【００４３】
モード切替キーと所定キーとの組合わせである場合（Ｓ２でＹＥＳ）、制御部２０１は、操作されたモード切替キーに対応するカテゴリの入力セレクタに切替えるリモコンコードをＡＶアンプ１１に送信する（Ｓ３）。例えば、操作されたモード切替キーが「ＭＤ」であれば、入力セレクタを「ＭＤ」セレクタに切替えるリモコンコードをＡＶアンプ１１に送信する。また、制御部２０１は、操作されたモード切替キーに対応するモードに変更する。
【００４４】
図６に示すように、ＡＶアンプ１１の制御部１０１は、リモコン送信機１３から、入力セレクタを切替えるリモコンコードを受信したか否かを判断している（Ｓ１１）。受信した場合（Ｓ１１でＹＥＳ）、制御部１０１は、入力セレクタを切替える（Ｓ１２）。例えば、「ＭＤ」セレクタに切替えるリモコンコードに応じて、制御部１０１は、「ＭＤ」セレクタを選択する。
【００４５】
図５に示すように、リモコン送信機１３の制御部２０１は、リモコン送信機１３をリモコン登録モードに移行させ（Ｓ４）、かつ、ＡＶアンプ１１に対してリモコン登録モードに移行するリモコンコードを送信する（Ｓ４）。リモコン登録モードとは、リモコン送信機１３側では、モード切替キーにユーザ操作によって入力された製品登録コードに対応するリモコンコードを登録し、モードのカテゴリを変更し、かつ、ＡＶアンプ１１側では、入力セレクタのカテゴリを変更するためのモードである。
【００４６】
図６に示すように、ＡＶアンプ１１の制御部１０１は、リモコン送信機１３から、リモコン登録モードに移行するリモコンコードを受信したか否かを判断している（Ｓ１３）。受信した場合（Ｓ１３でＹＥＳ）、制御部１０１は、リモコン登録モードに移行する（Ｓ１４）。
【００４７】
図５に示すように、リモコン送信機１３の制御部２０１は、ユーザ操作によって製品登録コードが入力されたか否かを判断している（Ｓ５）。入力された場合（Ｓ５でＹＥＳ）、制御部２０１は、図４のテーブルを参照し、入力された製品登録コードに対応する製品通知コードを特定する（Ｓ６）。制御部２０１は、特定した製品通知コードをメモリ２０２から読み出して、製品通知コードを含むリモコンコードをＡＶアンプ１１に送信する（Ｓ６）。例えば、製品登録コード「４４４４４」が入力された場合、制御部２０１は、製品通知コード「ＦＦＦ４」をＡＶアンプ１１に送信する。
【００４８】
その後、リモコン送信機１３の制御部２０１は、入力された製品登録コードに対応するリモコンコードをメモリ２０２から読み出して、現在選択されているモード（つまりＳ２で選択されたモード）に対応付けて登録する（Ｓ７）。これにより、モード切替キーの操作によって選択されるモードのカテゴリを、入力された製品登録コードに対応するカテゴリに変更することができる。例えば、製品登録コード「４４４４４」が入力された場合、現在のモードのカテゴリが「ＴＡＰＥ」に変更される。
【００４９】
図６に示すように、ＡＶアンプ１１の制御部１０１は、リモコン送信機１３から製品通知コードを含むリモコンコードを受信する前に、他の処理の指示が、ＡＶアンプ１１の筐体に設けられたボタンのユーザ操作によって入力されたか否かを判断している（Ｓ１５）。他の処理の指示がユーザ操作によって入力された場合（Ｓ１５でＹＥＳ）、制御部１０１は、リモコン登録モードから通常モードに移行して、処理を終了する。他の処理とは、例えば、入力セレクタを変更する指示である。入力セレクタが変更されてしまうと、リモコン送信機１３で選択したモードに対応する入力セレクタとは異なる入力セレクタのカテゴリが変更されてしまい、ユーザの意に反する登録がされてしまう。従って、このような場合には、リモコン登録モードを終了するようにしている。
【００５０】
ＡＶアンプ１１の制御部１０１は、リモコン送信機１３から製品通知コードを含むリモコンコードを受信したか否かを判断する（Ｓ１６）。受信した場合（Ｓ１６でＹＥＳ）、制御部１０１は、通知されたリモコンコードに含まれる製品通知コードと、図３のテーブルとからセレクタ名を特定する。そして、制御部１０１は、現在選択されているセレクタのセレクタ名を特定したセレクタ名に変更する（Ｓ１７）。例えば、製品通知コードが「ＦＦＦ４」である場合、セレクタ名が「ＴＡＰＥ」に変更される。
【００５１】
続いて、制御部１０１は、通知されたリモコンコードに含まれる製品通知コードと、図３のテーブルとからカテゴリを特定する。そして、制御部１０１は、現在選択されている入力セレクタのカテゴリを特定したカテゴリに変更する（Ｓ１８）。例えば、例えば、製品通知コードが「ＦＦＦ４」である場合、現在選択されている入力セレクタのカテゴリが「ＴＡＰＥ」に変更される。
【００５２】
以上の処理によって、ユーザ操作によってＡＶアンプ１１の入力セレクタのカテゴリを変更する操作が不要となるので、操作を簡易化することができる。
【００５３】
次に本発明の別の好ましい実施形態を説明する。本実施形態では、リモコン送信機１３からリモコンコード登録モード開始通知をＡＶアンプ１１に送信することなく、リモコン送信機１３において、入力された製品登録コードに対応するリモコンコードを登録し終えた後に、ＡＶアンプ１１に対して、セレクタと、製品通知コードとを送信するようにしている。
【００５４】
図７は、本実施形態のリモコン送信機１３の処理を示すフローチャートであり、図８は、ＡＶアンプ１１の制御部１０１の処理を示すフローチャートである。図７に示すように、リモコン送信機１３の制御部２０１は、ユーザによって操作キーが操作されたか否かを判断している（Ｓ１）。操作された場合（Ｓ１でＹＥＳ）、制御部２０１は、操作された操作キーがモード切替キーとディスプレイキーとの組合わせであるか否かを判断する（Ｓ２）。すなわち、ユーザ操作によって、モードを切替え、かつ、リモコン登録モードに移行する指示が入力されたか否かが判断される。
【００５５】
モード切替キーと所定キーとの組合わせではない場合（Ｓ２でＮＯ）、制御部２０１は、操作された操作キーに対応する処理を実行する（Ｓ８）。すなわち、制御部２０１は、操作された操作キーおよび現在のモードに基づいて決定されるリモコンコードをＡＶアンプ１１に送信する。
【００５６】
モード切替キーと所定キーとの組合わせである場合（Ｓ２でＹＥＳ）、リモコン送信機１３の制御部２０１は、操作されたモード切替キーに対応するモードに変更し、ユーザ操作によって製品登録コードが入力されたか否かを判断している（Ｓ５）。入力された場合（Ｓ５でＹＥＳ）、リモコン送信機１３の制御部２０１は、入力された製品登録コードに対応するリモコンコードをメモリ２０２から読み出して、現在選択されているモード（つまりＳ２で選択されたモード）に対応付けて登録する（Ｓ７）。これにより、モード切替キーの操作によって選択されるモードのカテゴリを、入力された製品登録コードに対応するカテゴリに変更することができる。例えば、製品登録コード「４４４４４」が入力された場合、現在のモードのカテゴリが「ＴＡＰＥ」に変更される。
【００５７】
制御部２０１は、操作されたモード切替キーに対応するカテゴリの入力セレクタに切替えるリモコンコードをＡＶアンプ１１に送信する（Ｓ３）。例えば、操作されたモード切替キーが「ＭＤ」であれば、入力セレクタを「ＭＤ」セレクタに切替えるリモコンコードをＡＶアンプ１１に送信する。
【００５８】
制御部２０１は、図４のテーブルを参照し、入力された製品登録コードに対応する製品通知コードを特定する（Ｓ６）。制御部２０１は、特定した製品通知コードをメモリ２０２から読み出して、製品通知コードを含むリモコンコードをＡＶアンプ１１に送信する（Ｓ６）。例えば、製品登録コード「４４４４４」が入力された場合、制御部２０１は、製品通知コード「ＦＦＦ４」をＡＶアンプ１１に送信する。
【００５９】
図８に示すように、ＡＶアンプ１１の制御部１０１は、リモコン送信機１３から、入力セレクタを切替えるリモコンコードを受信したか否かを判断している（Ｓ１１）。受信した場合（Ｓ１１でＹＥＳ）、制御部１０１は、入力セレクタを切替える（Ｓ１２）。例えば、「ＭＤ」セレクタに切替えるリモコンコードに応じて、制御部１０１は、「ＭＤ」セレクタを選択する。
【００６０】
ＡＶアンプ１１の制御部１０１は、リモコン送信機１３から製品通知コードを含むリモコンコードを受信したか否かを判断する（Ｓ１６）。受信した場合（Ｓ１６でＹＥＳ）、制御部１０１は、通知されたリモコンコードに含まれる製品通知コードと、図３のテーブルとからセレクタ名を特定する。そして、制御部１０１は、現在選択されているセレクタのセレクタ名を特定したセレクタ名に変更する（Ｓ１７）。例えば、製品通知コードが「ＦＦＦ４」である場合、セレクタ名が「ＴＡＰＥ」に変更される。
【００６１】
続いて、制御部１０１は、通知されたリモコンコードに含まれる製品通知コードと、図３のテーブルとからカテゴリを特定する。そして、制御部１０１は、現在選択されている入力セレクタのカテゴリを特定したカテゴリに変更する（Ｓ１８）。例えば、製品通知コードが「ＦＦＦ４」である場合、現在選択されている入力セレクタのカテゴリが「ＴＡＰＥ」に変更される。
【００６２】
次に本発明のさらに別の好ましい実施形態を説明する。本実施形態では、リモコン送信機１３において、入力された製品登録コードに基づいてリモコンコードを登録した後、モード切替キーに対応付けて製品通知コードをメモリに記憶しておく。そして、その後の数回（例えば５回）、モード切替キーが操作された際に、モード切替キーに対応付けて記憶されている製品通知コードと、モード切替キーの元々のカテゴリ（セレクタ）とをＡＶアンプに通知する。これにより、リモコン送信機１３のモード切替キーにリモコンコードを登録する際に、ＡＶアンプ１１の電源がオフ状態になっていても、その後、数回にわたってＡＶアンプ１１に製品通知コードとセレクタとを送信することができる。
【００６３】
図９、図１０は、本実施形態のリモコン送信機１３の処理を示すフローチャートである。なお、ＡＶアンプ１１の処理は、図８と同じである。図９に示すように、リモコン送信機１３の制御部２０１は、ユーザによって操作キーが操作されたか否かを判断している（Ｓ１）。操作された場合（Ｓ１でＹＥＳ）、制御部２０１は、操作された操作キーがモード切替キーとディスプレイキーとの組合わせであるか否かを判断する（Ｓ２）。すなわち、ユーザ操作によって、モードを切替え、かつ、リモコン登録モードに移行する指示が入力されたか否かが判断される。
【００６４】
モード切替キーと所定キーとの組合わせではない場合（Ｓ２でＮＯ）、制御部２０１は、操作された操作キーに対応する処理を実行する（Ｓ８）。すなわち、制御部２０１は、操作された操作キーおよび現在のモードに基づいて決定されるリモコンコードをＡＶアンプ１１に送信する。
【００６５】
モード切替キーと所定キーとの組合わせである場合（Ｓ２でＹＥＳ）、リモコン送信機１３の制御部２０１は、操作されたモード切替キーに対応するモードに変更し、ユーザ操作によって製品登録コードが入力されたか否かを判断している（Ｓ５）。入力された場合（Ｓ５でＹＥＳ）、リモコン送信機１３の制御部２０１は、入力された製品登録コードに対応するリモコンコードをメモリ２０２から読み出して、現在選択されているモード（つまりＳ２で選択されたモード）に対応付けて登録する（Ｓ７）。これにより、モード切替キーの操作によって選択されるモードのカテゴリを、入力された製品登録コードに対応するカテゴリに変更することができる。例えば、製品登録コード「４４４４４」が入力された場合、現在のモードのカテゴリが「ＴＡＰＥ」に変更される。
【００６６】
制御部２０１は、図４のテーブルを参照し、入力された製品登録コードに対応する製品通知コードを特定する。制御部２０１は、特定した製品通知コードを、モード切替キーの元々の（変更前の）カテゴリに対応付けてメモリ２０２に保存する（Ｓ５１）。例えば、製品登録コード「４４４４４」が入力された場合、制御部２０１は、製品通知コード「ＦＦＦ４」をＭＤに対応付けてメモリに記憶する。
【００６７】
図１０に示すように、リモコン送信機１３の制御部２０１は、ユーザによってモード切替キーが操作されたか否かを判断している（Ｓ６１）。操作された場合（Ｓ６１でＹＥＳ）、操作されたモード切替キーの元々のカテゴリに対応付けて、製品通知コードがメモリに記憶されているか否かを判断する（Ｓ６２）。記憶されていなければ（Ｓ６２でＮＯ）、Ｓ６１に戻る。記憶されている場合（Ｓ６２でＹＥＳ）、制御部２０１は、操作されたモード切替キーの元々のカテゴリのセレクタに変更するリモコンコードをＡＶアンプ１１に送信する（Ｓ６３）。例えば、カテゴリが「ＴＡＰＥ」に変更されたＭＤモード切替キーが操作された場合、制御部２０１は、入力セレクタを「ＭＤ」セレクタに切替えるリモコンコードをＡＶアンプ１１に送信する。
【００６８】
制御部２０１は、製品通知コードをメモリ２０２から読み出して、製品通知コードを含むリモコンコードをＡＶアンプ１１に送信する（Ｓ６４）。例えば、制御部２０１は、製品通知コード「ＦＦＦ４」をＡＶアンプ１１に送信する。
【００６９】
なお、Ｓ５１で製品通知コードをメモリに記憶しておき、Ｓ６２で製品通知コードがメモリに記憶されているかを判断する代わりに、Ｓ６４において図３のテーブルから製品通知コードを特定するようにしてもよい。
【００７０】
図８に示すように、ＡＶアンプ１１の制御部１０１は、リモコン送信機１３から、入力セレクタを切替えるリモコンコードを受信したか否かを判断している（Ｓ１１）。受信した場合（Ｓ１１でＹＥＳ）、制御部１０１は、入力セレクタを切替える（Ｓ１２）。例えば、「ＭＤ」セレクタに切替えるリモコンコードに応じて、制御部１０１は、「ＭＤ」セレクタを選択する。
【００７１】
ＡＶアンプ１１の制御部１０１は、リモコン送信機１３から製品通知コードを含むリモコンコードを受信したか否かを判断する（Ｓ１６）。受信した場合（Ｓ１６でＹＥＳ）、制御部１０１は、通知されたリモコンコードに含まれる製品通知コードと、図３のテーブルとからセレクタ名を特定する。そして、制御部１０１は、現在選択されているセレクタのセレクタ名を特定したセレクタ名に変更する（Ｓ１７）。例えば、製品通知コードが「ＦＦＦ４」である場合、セレクタ名が「ＴＡＰＥ」に変更される。
【００７２】
続いて、制御部１０１は、通知されたリモコンコードに含まれる製品通知コードと、図３のテーブルとからカテゴリを特定する。そして、制御部１０１は、現在選択されている入力セレクタのカテゴリを特定したカテゴリに変更する（Ｓ１８）。例えば、例えば、製品通知コードが「ＦＦＦ４」である場合、現在選択されている入力セレクタのカテゴリが「ＴＡＰＥ」に変更される。
【００７３】
以上、本発明の好ましい実施形態を説明したが、本発明はこれらの実施形態には限定されない。入力端子として音声入力端子のみを記載しているが、映像入力端子も同様である。映像と音声とを含むデジタルデータを受信するＨＤＭＩ入力端子も同様である。本発明のＡＶアンプ１１またはリモコン送信機１３をコンピュータに実行させるためのコンピュータプログラム、又は、当該プログラムを記録した記憶媒体という形態で提供されてもよい。
【産業上の利用可能性】
【００７４】
本発明は、ＡＶアンプ等のオーディオ機器に好適に採用され得る。
【符号の説明】
【００７５】
１１            ＡＶアンプ
１０１          制御部
１０２          メモリ
１０３          指令入出力端子
１０４          リモコン信号受信部
１０５          音声入力端子
１０６          セレクタ回路
１０７          増幅回路
１０８          音声出力端子
１０９          表示部
１２            コンテンツ再生装置
１３            リモコン送信機
２０１          制御部
２０２          メモリ
２０３          操作キー
２０４          リモコン送信部
【図１】
2013017065.tif 000003
【図２】
2013017065.tif 000004
【図３】
2013017065.tif 000005
【図４】
2013017065.tif 000006
【図５】
2013017065.tif 000007
【図６】
2013017065.tif 000008
【図７】
2013017065.tif 000009
【図８】
2013017065.tif 000010
【図９】
2013017065.tif 000011
【図１０】
2013017065.tif 000012